(57)【要約】【課題】空気処理装置のメンテナンスを容易化することを目的とし、空気処理装置の脱臭フィルターの脱臭性能を長期間維持させることを目的とする。【解決手段】汚れた空気を発生する加熱調理装置１００を収納する収納領域２と、収納領域２の上方に配置され、収納領域２内で発生した汚れた空気を吸入し、脱臭処理する処理室３と、処理室３で脱臭処理された空気を処理室３から排出する排出口２２２、２３２、３９を備えた空気処理装置１であって、処理室３には、触媒及び吸着材を含む脱臭フィルタ５と、脱臭フィルタ５を加熱するための加熱装置６を備えた空気処理装置１。【選択図】図１
2012229871.tif 000002
【特許請求の範囲】
【請求項１】
臭気物質を含む空気を吸入し、脱臭処理する処理室に、触媒及び吸着材を含む脱臭フィルタと、前記脱臭フィルタを加熱するための加熱装置を設置し、前記処理室に臭気物質を含む空気を吸入し、該臭気物質を含む空気を前記脱臭フィルタを通過させて前記処理室外部に排出させる吸入排出装置とを備えたことを特徴とする空気処理装置。
【請求項２】
臭気物質を含む空気を発生する装置を収納する収納領域と、前記収納領域の上方に配置され、前記収納領域内で発生した臭気物質を含む空気を吸入し、脱臭処理する処理室と、前記処理室で脱臭処理された空気を処理室から排出する排出口を備え、前記処理室には、触媒及び吸着材を含む脱臭フィルタと、吸入した臭気物質を含む空気を前記脱臭フィルタを通過させて前記処理室外部に排出させる吸入排出装置と、前記脱臭フィルタを加熱するための加熱装置を備えたことを特徴とする空気処理装置。
【請求項３】
前記排出口は、前記収納領域内又は／及び空気処理装置外へ、前記処理室で脱臭処理された空気を排出することを特徴とする請求項２に記載の空気処理装置。
【請求項４】
前記臭気物質を含む空気を発生する装置は、加熱調理装置であり、前記空気処理装置は厨房用の空気処理装置であることを特徴とする請求項２又は３に記載の空気処理装置。
【請求項５】
臭気物質を含む空気を吸入し、脱臭処理する処理室に、触媒及び吸着材を含む脱臭フィルタと、前記脱臭フィルタを加熱するための加熱装置を設置し、吸入排出装置で、前記処理室に臭気物質を含む空気を吸入し、該臭気物質を含む空気を前記脱臭フィルタを通過させ、前記処理室外部に排出させたのち、前記加熱装置で前記脱臭フィルタを加熱することを特徴とする空気処理装置の脱臭性能維持方法。
【請求項６】
前記脱臭フィルタの温度が、３０℃〜７０℃になるように前記加熱装置で加熱することを特徴とする請求項４に記載の空気処理装置の脱臭性能維持方法。
【発明の詳細な説明】
【技術分野】
【０００１】
本発明は、フライヤや茹で麺器等の調理装置から発生する調理臭を除去する空気処理装置及びその脱臭性能維持方法に関し、特に食品を加熱調理する際に発生する臭気を除去する、触媒及び吸着材を含む脱臭フィルタを備えた空気処理装置及びその脱臭性能維持方法に関する。
【背景技術】
【０００２】
従来から、食品をフライヤや茹で麺器等の加熱調理装置で加熱調理する際に発生する臭気を除去するために、加熱調理装置の上方に、脱臭フィルタを備えた空気清浄機を配設した空気処理装置が用いられている（例えば、特許文献１、２参照。）。
【０００３】
そして、このような空気処理装置の脱臭フィルタとして、触媒及び吸着材を含む脱臭フィルタが用いられている（例えば、特許文献２、３参照。）。
【０００４】
このような空気処理装置には、臭気物質を含む空気を脱臭等の濾過清浄処理をした後にダクト等を経由して室外に排出する形式や、室外に排出できない場合には、濾過清浄処理をした空気を再び室内に排出する循環形式がある。
【先行技術文献】
【特許文献】
【０００５】
【特許文献１】特開２０１０−２１６６７５号公報
【特許文献２】特開２００７−１２５４６６号公報
【特許文献３】特開２００８−１０４８４５号公報
【発明の概要】
【発明が解決しようとする課題】
【０００６】
しかし、従来の空気処理装置では、使用期間の経過に伴い脱臭フィルタの脱臭能力が低下してくるので、処理済の空気を室外に排出する場合には、室外に悪臭が排出され、近隣に迷惑をかけることなり、室内に排出する場合には、室内に悪臭が蓄積してしまう等の問題点があった。
【０００７】
こうした問題点を解決するために、脱臭フィルターを頻繁に交換したり、脱臭フィルターを装置から取外して洗浄したり、複数の脱臭フィルターを配置したりする方法が採用されている。
【０００８】
しかし、これらの方法では、使用済みの脱臭フィルターという大量の廃棄物を生じさせてしまい、環境への負荷が増大してしまうといった問題点や、脱臭フィルターの交換作業や洗浄作業等のメンテナンスが煩雑であったり、設備の費用が多くかかってしまう等の問題点があった。
【０００９】
そこで、本発明は、臭気物質を含む空気を処理する空気処理装置の使用に際して、廃棄物の発生を極力抑えて環境への負荷を軽減することを目的の１つとする。又、空気処理装置のメンテナンスを容易化することを目的の１つとする。又、空気処理装置の設備費用を低廉化することを目的の１つとする。更に、これらの目的を達成するため、空気処理装置の脱臭フィルターの脱臭性能を長期間維持させることを目的とする。
【課題を解決するための手段】
【００１０】
以上のような課題を解決するための手段としての本発明は、臭気物質を含む空気を吸入し、脱臭処理する処理室に、触媒及び吸着材を含む脱臭フィルタと、前記脱臭フィルタを加熱するための加熱装置を設置し、前記処理室に臭気物質を含む空気を吸入し、該臭気物質を含む空気を前記脱臭フィルタを通過させて前記処理室外部に排出させる吸入排出装置とを備えたことを特徴とする空気処理装置である。
【００１１】
又、臭気物質を含む空気を発生する装置を収納する収納領域と、前記収納領域の上方に配置され、前記収納領域内で発生した臭気物質を含む空気を吸入し、脱臭処理する処理室と、前記処理室で脱臭処理された空気を処理室から排出する排出口を備え、前記処理室には、触媒及び吸着材を含む脱臭フィルタと、吸入した臭気物質を含む空気を前記脱臭フィルタを通過させて前記処理室外部に排出させる吸入排出装置と、前記脱臭フィルタを加熱するための加熱装置を備えたことを特徴とする空気処理装置である。
【００１２】
又、上記空気処理装置において、前記排出口は、前記収納領域内又は／及び空気処理装置外へ、前記処理室で脱臭処理された空気を排出することを特徴とする請求項２に記載の空気処理装置である。
【００１３】
又、上記空気処理装置において、前記臭気物質を含む空気を発生する装置は、加熱調理装置であり、前記空気処理装置は厨房用の空気処理装置であることを特徴とする空気処理装置である。
【００１４】
又、臭気物質を含む空気を吸入し、脱臭処理する処理室に、触媒及び吸着材を含む脱臭フィルタと、前記脱臭フィルタを加熱するための加熱装置を設置し、吸入排出装置で、前記処理室に臭気物質を含む空気を吸入し、該臭気物質を含む空気を前記脱臭フィルタを通過させ、前記処理室外部に排出させたのち、前記加熱装置で前記脱臭フィルタを加熱することを特徴とする空気処理装置の脱臭性能維持方法である。
【００１５】
又、上記空気処理装置の脱臭性能維持方法において、前記脱臭フィルタの温度が、３０℃〜７０℃になるように前記加熱装置で加熱することを特徴とする請求項４に記載の空気処理装置の脱臭性能維持方法である。
【発明の効果】
【００１６】
以上のような本発明によれば、臭気物質を含む空気を処理する空気処理装置の脱臭フィルターの脱臭性能を長期間維持させることが可能となった。又、廃棄物の発生を抑制して環境への負荷を軽減することが可能となった。又、空気処理装置のメンテナンスを容易化することが可能となった。又、空気処理装置の設備費用を低廉化することが可能となった。
【図面の簡単な説明】
【００１７】
【図１】本発明空気処理装置一実施例の斜視図
【図２】本発明空気処理装置一実施例の正面図
【図３】本発明空気処理装置一実施例の側面図
【図４】本発明空気処理装置一実施例一部破断側面図
【図５】本発明第一実施例の一部分斜視図
【図６】図４Ｘ−Ｘ断面図
【図７】脱臭フィルタとヒータの設置実施例を示す図
【発明を実施するための形態】
【００１８】
以下本発明の実施の形態を図を参照して説明する。本発明の空気処理装置１は、図１〜図３に示すように、基部１０と、基部１０の上に配置され、臭気物質或いは更に油成分等を含む空気を発生する装置としての加熱調理装置を収納する収納領域２と、収納領域２の上方に配置され、収納領域２内で加熱調理装置から発生した臭気物質を含む空気を吸入し、脱臭処理する処理室３を備え、処理室３には、触媒及び吸着材を含む脱臭フィルタ５と、脱臭フィルタ５を加熱するための加熱装置６と、吸入排出装置としてのモータファン７を備えて構成されている。
【００１９】
尚、臭気物質は、食品を加熱調理する際に発生する臭気を伴う物質及びその他の臭気を伴う物質であり、例えば、プロピオンアルデヒド、イソバレルアルデヒド、硫化メチル、アセトアルデヒド、メチルメルカプタン、イソブタノール、メチルメルカプタン、アンモニア、エタノール等が挙げられる。
【００２０】
上記のような加熱調理装置としては、直接加熱式、中間加熱式を問わずに、液槽を有し、液槽内の水又は油を加熱する各種加熱調理装置が挙げられ、加熱調理装置の一例として、油を加熱するフライヤーや水を加熱する茹で機、蒸し機等の液体加熱調理装置が挙げられる。又、加熱調理装置は、ガスを用いたものでも、電気を用いたものでもよい。以下、加熱調理装置の実施の形態を電気加熱式のフライヤ１００を例として説明する。
【００２１】
収納領域２は、フライヤ１００を載置する載置面２１と、対向する側面壁２２、２３と、背面壁２４及び処理室３に囲まれて構成されている。収納領域２の載置面２１はフライヤ１００が１台又は所定の複数台を設置可能な面積を備えている。
【００２２】
側面壁２２の内部には、側面壁２２の上端から下端に延設された流路２２１を備え、流路２２１の上端口２２７は処理室３と連通し、流路２２１の下端は、側面壁２２の内側下方に設けた第一の排出口２２２を介して収納領域２と連通している。同様に、側面壁２３の内部には、側面壁２３の上端から下端に延設された流路２３１を備え、流路２３１の上端口２３７は処理室３と連通し、流路２３１の下端は、側面壁２３の内側下方に設けた第一の排出口２３２を介して収納領域２と連通している。流路２２１、２３１は、側面壁２２、２３を板体を用いて箱状に成形することにより、形成することが出来る。側面壁２２、２３の第一の排出口２２２、２３２の上方に同様の補助排出口２２９、２３９を形成してもよい。
【００２３】
処理室３は、収納領域２でフライヤ１００から発生した臭気物質を含む空気を吸入して脱臭処理を行うための室である。処理室３は隔壁３１により第一室３２と第二室３３に分割され、第一室３２と第二室３３は隔壁３１上部に形成した連通孔３１１により連通している。
【００２４】
処理室３の第一室３２下部の収納領域２との境界に形成した吸引口３６には、臭気物質を含む空気から主に油成分を除去するためのグリスフィルタ３７が設置され、処理室３内部の第一室３２内には、収納領域２でフライヤ１００から発生した臭気物質を含む空気を処理室３内部に吸入し、脱臭フィルタ５へ送るモータファン７が設置され、第二室３３内には臭気物質を含む空気から主に臭気成分を除去するための脱臭フィルタ５が設置されている。
【００２５】
又、処理室３の第二室３３には、処理室３内で処理された空気を分ける分流室３４が設けられ、分流室３４は隔壁３４１で２室に分割され、分割された前室３３９は、処理室３内で処理された空気を空気処理装置１の外部へ排出するために形成された第二の排出口３９と連通し、後室３３８は、夫々側面壁２２、２３の流路２２１、２３１と連通している。
【００２６】
脱臭フィルタ５は、触媒及び吸着材を含んで構成されたフィルタであり、図４〜図６によく示すように、支持部材８に支持させて、所定の間隔をいて、３個の脱臭フィルタ５を開口面を対向させて３層に設置している。支持部材８は上下端を内方に曲折した２枚の板体８１を対向させ、板体８１の対向面には脱臭フィルタ５を上下から挟持するガイド８１１を設けて構成され、ガイド８１１間に脱臭フィルタ５をスライド挿入させて、支持している。支持部材８は、処理室３の隔壁３１及び側壁内面から第二室３３内方に延設した載置枠９上に、載置枠９上に設置した位置決めレール３９９でスライド自在に位置決めされて設置されている。図６に示すように、支持部材８に支持された脱臭フィルタ５の下方には載置枠９が張出していない構成であり、載置枠９は第二室３３を分割するものではなく、空気の流れを妨げない。
【００２７】
脱臭フィルタ５は、ハニカム状、コルゲート状又は四角形状等の開口を有するペーパーセラミック担体、コージュライト担体又は金属担体に、無機バインダー等を用いて触媒及び吸着材を担持させて形成した公知の脱臭フィルタを使用することが出来る。
【００２８】
触媒としては、これらに限定されないが、酸化マンガン、酸化銅、酸化チタン、酸化クロム、酸化鉄、酸化ニッケル、酸化亜鉛、酸化コバルト等の金属酸化物触媒のうちの１種又は複数種を用いることが出来る。又、吸着材は、これらに限定されないが、臭気物質を物理的に吸着するゼオライト、活性炭、シリカゲル、酸化ケイ素や、臭気物質を化学的に吸着するアミン系の吸着材又はリン酸等のうちの１種又は複数種を用いることが出来る。
【００２９】
加熱装置６は、脱臭フィルタ５を加熱するための装置であり、電熱式のヒータ６０を用いている。ヒータ６０は、図４に示すように、支持部材８の板体８１に固定して脱臭フィルタ５間に夫々設置している。ヒータ６０の作動及び停止は、手動で図示しないスイッチを入り切りして行うが、図示しない制御装置やタイマーと接続して、予め決められた時から予め決められた時間作動させたり、フライヤ１００又は／及びモータファン７の停止と連動させて作動させることとしてもよい。
【００３０】
モータファン７は、臭気物質を含む空気を脱臭フィルタ５を通過させて処理室３の外部、詳しくは収納領域２内及び空気処理装置１外へ排出させる吸入排出装置である。
【００３１】
次に、空気処理装置１の動作、作用並びに空気処理装置１の脱臭性能維持方法について主に図１〜図３を参照して説明する。フライヤ１００を稼動させることによりフライヤ１００から油成分や臭気物質を含んだ汚れた空気が収納領域２内に排出される（矢印Ａ）。モータファン７が動作していることにより、収納領域２内の臭気物質を含んだ空気は、グリスフィルタ３７を通過して処理室３内部に吸入される（矢印Ｂ）。グリスフィルタ３７を通過することにより、汚れた空気から主に油成分が除去される。
【００３２】
処理室３内部に吸入された臭気物質を含んだ空気は、第一室３２に入り、モータファン７を通過して（矢印Ｃ）、連通孔３１１を通過して第二室３３に入り（矢印Ｄ）、脱臭フィルタ５を通過して分流室３４に流入する（矢印Ｅ）。脱臭フィルタ５を通過することにより、臭気物質を含んだ空気から主に臭気物質が除去され、洗浄された空気となる。脱臭フィルタ５を通過して分流室３４の前室３３９に流入した洗浄された空気は、第二の排出口３９から空気処理装置１の外部へ排出され（矢印Ｆ）、分流室３４の後室３３８に流入した洗浄された空気は、上端口２２７、２３７を介して流路２２１、２３１に流入し（矢印Ｇ）、通過し（矢印Ｈ）、第一の排出口２２２、２３２から（矢印Ｉ２）或いは更に補助排出口２２９、２３９から（矢印Ｉ１）収納領域２内部へ排出される。
【００３３】
このようにして、脱臭フィルタ５に含まれる吸着材には臭気物質が吸着される。脱臭フィルタ５には触媒が含まれているので、吸着材に吸着された臭気物質を分解するが、空気処理装置１の作動時における１５〜２５℃程度の通常の室温においては、触媒の分解作用は微少であり、分解される臭気物質より吸着される臭気物質のほうが多くなるので空気処理装置１の作動時間の経過と共に、吸着材に吸着される臭気物質は増加すると共に、吸着材の臭気物質を吸着する吸着性能は低下する。
【００３４】
フライヤ１００を稼動させ、臭気物質を含む空気の洗浄を行っている間は、ヒータ６０は作動を停止させておく。フライヤ１００の稼動を停止させた後、ヒータ６０の作動を開始させて、脱臭フィルタ５を加熱させる。脱臭フィルタ５が加熱されることにより、脱臭フィルタ５に含まれる触媒が加熱され、活性化して、臭気物質の分解作用が促進され、脱臭フィルタ５に含まれる吸着材に吸着された臭気物質の分解が促進される。このようにヒータ６０を作動させることにより、脱臭フィルタ５の吸着材に捕捉された臭気物質が分解され、吸着材の臭気物質を吸着する吸着性能を回復させ、脱臭フィルタ５の臭気物質の除去率を維持し、低下を抑制することが出来る。しかも、脱臭フィルタ５を着脱する必要が無くその作業、メンテナンスが容易であり、脱臭フィルタ５の交換回数を減らすことが出来、廃棄物の発生を抑制して環境への負荷を軽減することが可能となっている。
【００３５】
ヒータ６０の作動は、フライヤ１００の稼動停止時に常に行ってもよいが、常には行わず、適宜時に作動させてもよい。フライヤ１００の稼動時間の増加に応じて吸着材に吸着される臭気物質が増えるので、フライヤ１００の稼動時間に応じてヒータ６０の温度、作動時間及び回数を決定すればよい。例えば、毎日１回１時間連続で作動させたり、何日かおきに１回１時間連続で作動させたり、新品の脱臭フィルタ５を使用する場合には、脱臭フィルター５の脱臭性能が著しく低下する前、例えば最初の７日間は全く作動させなかったり、或いは排出された空気の臭気の程度により作動させたり、適宜選択可能である。
【００３６】
又、脱臭フィルタ５の加熱温度、時間は、用いる触媒により、その触媒が最も活性化する温度、時間を選択することが好ましい。具体例として、脱臭フィルタ５の最高温度が３０℃となるように１時間加熱する方法や、脱臭フィルタ５の最高温度が７０℃となるように１時間加熱する方法がある。もちろん、脱臭フィルタ５の最高温度が７０℃以上となってもよい。
【００３７】
本発明の空気処理装置は、以上で述べた実施の形態の他、以下のように適宜に変更を加えた構成とすることも出来、又、これらの実施の形態を適宜組み合わせた構成とすることも出来る。
【００３８】
即ち、脱臭フィルタ５の設置数は、３個に限定されず、１個又は所定の複数個を設置することとしてもよい。又、加熱装置６として、電熱式のヒータのほか、公知の各種電気式加熱装置やガスバーナー等を用いることとしてもよい。脱臭フィルタ５の設置数が１個の場合には、図７に示すように、ヒータ６０を脱臭フィルタ５の片側に１個（ａ）又は両側に２個（ｂ）設置することが出来、脱臭フィルタ５の設置数が複数個の場合には、脱臭フィルタ５間に設置する（ｃ）他、積層された脱臭フィルタ５の両端側（ｄ）に設置することとしてもよい。
【００３９】
又、臭気物質を含む空気を脱臭フィルタ５を通過させて処理室３外部に排出させる吸入排出装置、その一例としてのモータファン７は、処理室３内部に設置せずに、処理室３の外部に設置し、モータファン７を介して洗浄された空気を処理室３外に、そして空気処理装置外に排出する構成としてもよい。
【００４０】
又、収納領域２に面して開口し、処理室で脱臭処理された空気を収納領域２内に排出する第一の排出口２２２、２３２、補助排出口２２９、２３９と、処理室３内で処理された空気を空気処理装置１の外部へ排出するために形成された第二の排出口３９は、上述のように双方設けることとしてもよいが、一方のみ設け、処理室で脱臭処理された空気を収納領域２内にのみ排出する構成又は空気処理装置１の外部へのみ排出する構成のいずれかとしてもよい。
【００４１】
尚、フライヤ１００を稼動させている間に、ヒータ６０を作動させることとしてもよい。
【実施例】
【００４２】
上述のように３個の脱臭フィルタ５を開口面を対向させて３層に設置し、上段の脱臭フィルタ５と中段の脱臭フィルタ５間及び中段の脱臭フィルタ５と下段の脱臭フィルタ５間に７５Ｗの加熱熱量のヒータ６０を設置した空気処理装置１を用いて脱臭フィルタの再生状況を試験した。
【００４３】
脱臭フィルタは、触媒として酸化マンガン、吸着材として酸化ケイ素を含み、２００個のハニカム状セルを有し、各セルの寸法は、１２ｍｍパイ×６０ｍｍｔであって、未使用のものを用い、フライヤ１００及びモータファン７を断続的に１日２４時間、７日間稼動させた。
【００４４】
その後、フライヤ１００の停止時にヒータ６０を作動させて、脱臭フィルタ５を１時間加熱した。１時間加熱の脱臭フィルタ５内部の温度を、温度センサを脱臭フィルタ５の中心に差し込んで測定した結果を表１に示す。中段の脱臭フィルタは上下の両面から加熱されているので、上段及び下段の脱臭フィルタに比べて最高温度が高くなっている。
【００４５】
【表１】
2012229871.tif 000003
【００４６】
又、加熱前と加熱後の脱臭フィルタ５の重量を計測した。計測結果を表２に示す。尚、未使用の脱臭フィルタの重量個体差は１０％程度である。
【００４７】
【表２】
2012229871.tif 000004
【００４８】
この結果から、加熱前重量と加熱後重量を比較すると、加熱後の重量が軽くなったことがわかる。これは、加熱により、触媒が活性化し、臭気物質の分解がおこり、分解により生じた水分の蒸発が起きたためである。このことから、加熱により、臭気物質の分解を促進させる効果があることが分かる。又、表１及び表２の結果から、加熱は、１時間で、最高温度が３０℃でも臭気物質の分解を促進させる効果があり、最高温度が４６℃、７０℃でも効果があることが分かる。
【００４９】
次に、臭気物質の除去率を測定した。測定に使用した脱臭フィルタは、未使用の脱臭フィルタ、空気処理装置１から取り外した中段の加熱前の脱臭フィルタ及び空気処理装置１から取り外した中段の上記表１及び表２の加熱後（加熱時間：１時間／最高温度：７０℃）の脱臭フィルタである。
【００５０】
測定手順は、（１）これらの脱臭フィルタに模擬ガスとしてプロピオンアルデヒド又はイソバレルアルデヒドを別々に通気させた。（２）脱臭フィルタの入口及び出口におけるプロピオンアルデヒド又はイソバレルアルデヒドの濃度をガスクロマトグラフ（ＧＣ）−水素炎イオン化検出器（ＦＩＤ）を用いて定量し、除去率を測定した。除去率は、（入口濃度−出口濃度）／入口濃度×１００＝除去率（％）の式で求めた。
【００５１】
他の測定条件は以下のとおりである。
脱臭フィルタの入口でのプロピオンアルデヒド又はイソバレルアルデヒド濃度：５ｐｐｍ
流量：３．０Ｌ／ｍｉｎ
通気時間：５分／１５分／３０分
空間速度ＳＶ：３２，０００ｈ−１
雰囲気：２５℃×６０Ｒｈ％
定量：ＧＣ−ＦＩＤ  １点検量線法
結果を表３に示す。
【００５２】
【表３】
2012229871.tif 000005
表中の数字は除去率（％）を示す。
【００５３】
この結果から、加熱前の脱臭フィルタと加熱後の脱臭フィルタのプロピオンアルデヒド又はイソバレルアルデヒドの脱臭率を比較すると、加熱後の脱臭フィルタの除去率がいずれも高く、未使用の脱臭フィルタと同程度まで回復し、脱臭性能を回復、再生できていることが分かる。
【００５４】
この結果により、本発明の空気処理装置１は、脱臭フィルターの脱臭性能を回復、再生でき、脱臭性能を長期間維持させること出来ることが明らかである。
【００５５】
本発明の空気処理装置は、上述の実施形態のように、加熱調理装置を収納する収納領域を備えた厨房用の空気処理装置として用いるほか、加熱調理装置を収納する収納領域を備えない、厨房用或いは厨房以外の室内用、更には屋外用の臭気物質を含む空気を清浄処理する空気処理装置として用いることも出来る。
【産業上の利用可能性】
【００５６】
本発明の空気処理装置は、脱臭フィルターの脱臭性能を回復、再生でき、脱臭性能を長期間維持させること出来ることから、長期間の使用によっても、臭気物質を含んだ空気を外部に排出することがなく、メンテナンスが容易であり、脱臭フィルタの交換回数を減らすことが出来、廃棄物の発生を抑制して環境への負荷を軽減することができるので、厨房用、家庭用等の空気処理装置として好適に利用することが出来る。
【符号の説明】
【００５７】
１      空気処理装置
１００  フライヤ
２      収納領域
２１    載置面
２２    側面壁
２２１  流路
２２２  第一の排出口
２３    側面壁
２３１  流路
２３２  第一の排出口
３      処理室
３１    隔壁
３１１  連通孔
３２    第一室
３３    第二室
３４    分流室
３６    吸引口
３７    グリスフィルタ
３９    第二の排出口
３９９  位置決めレール
５      脱臭フィルタ
６      加熱装置
６０    ヒータ
７      モータファン
８      支持部材
８１    板体
８１１  ガイド
【図１】
2012229871.tif 000006
【図２】
2012229871.tif 000007
【図３】
2012229871.tif 000008
【図４】
2012229871.tif 000009
【図５】
2012229871.tif 000010
【図６】
2012229871.tif 000011
【図７】
2012229871.tif 000012